(57)【要約】【課題】  紙やフィルム等のシート状製品を保管、運搬する際に使用されるパレットに関する。シート状製品は数百枚単位で包装紙により包装されるが、包装紙の折り返し部分があるため端部は中央部より厚くなっている。そのため、パレットに数十の包装後製品を積み上げた製品山を２〜４段積み上げて保管すると、端部での包装紙の折り重ねのかたが紙やフィルム等に転写される等の課題を有する。本発明は、シート状製品にかたや皺の発生を抑制するパッレトを提供する。【解決手段】  本発明は、パレットの端部桁の高さに対して中央部桁の高さが奥行き全体にわたって２〜１５ｍｍ高いことを特徴とするものであり、さらに好ましくは、端部桁の高さに対して２〜１５ｍｍ高くなる中央部桁の幅が１００ｍｍ以上であることを特徴とするものである。【選択図】  図１
2010006404.tif 000002
【特許請求の範囲】
【請求項１】
端部桁の高さに対して中央部桁の高さを奥行き全体にわたって２〜１５ｍｍ高くしたことを特徴とするシート状製品用パレット。
【請求項２】
端部桁の高さに対して２〜１５ｍｍ高くする中央部桁の幅が１００ｍｍ以上である請求項１に記載のシート状製品用パレット。
【発明の詳細な説明】
【技術分野】
【０００１】
本発明はパレットの形状に関し、特に平判印刷用途等で使用される紙やフィルムなどのシート状製品を積み上げた状態で保管、運搬する際に好適なものであり、シート状製品にかたや皺の発生を抑制することができるパッレトの形状に関する。
【背景技術】
【０００２】
紙やフィルムなどのシート状製品を運搬、保管のために使用される上面が平らで、その下方にフォークリフト等のフォーク差込口を設けたパレットは周知である（特許文献１、２）。
【０００３】
紙やフィルムなどのシート状製品は、１００枚、２００枚などのある枚数単位で包装紙により包装して工場から出荷され、流通段階を経て使用者に渡るのが一般的である。また、紙やフィルムなどのシート状製品を包装紙で包装した包装後製品は（以後、単に包装後製品という）、パレットに積み上げられて運搬あるいは保管されることが多い。
【０００４】
一方、包装後製品の両端部は包装紙の折り返しのために包装紙が折り重なった分だけ包装後製品の厚みが厚くなっており、パレットに包装後製品を積み上げた場合、両端部は包装紙の折り重ね分だけ厚くなった製品が積み重なることになる。このため、物品積載板が平らである従来のパレットに数十の包装後製品を積み上げたもの（以後、製品山という）は若干の中凹みの形状になっている。さらに、倉庫では、上述のような若干の中凹みになった製品山を２段、３段場合によっては４段積み上げて保管することも多く、中凹みがさらに強調された状態で倉庫に置かれることになる。
【０００５】
このため、両端部での包装紙の折り重ねのかたが紙やフィルムに転写されることや、製品山が中凹みになるため、包装後製品の上部で包装紙が緩んで皺が発生し、この皺が紙やフィルムに転写されるという問題点が解決されていないのが現状である。
【特許文献１】特開２０００−３２６９７７号公報
【特許文献２】特開平３−１１１２１３号公報
【発明の開示】
【発明が解決しようとする課題】
【０００６】
本発明は、パレットの形状を工夫することにより両端部での包装紙の折り重ねのかたが紙やフィルムに転写されることや製品山が中凹みになるため、包装後製品の上部で包装紙が緩んで皺が発生し、この皺が紙やフィルムに転写されるという問題点が効果的に解消あるいは軽減できるシート状製品用パレットを提供することを目的とする。
【課題を解決するための手段】
【０００７】
本発明者らは、中央部桁の高さを奥行き全体にわたって端部桁の高さより２〜１５ｍｍ高くすることによりシート状製品のかたや皺の発生が極めて効果的に抑制されることを見出し、本発明を完成するに至った。
【０００８】
本発明は、以下の各発明を包含する。
（１）端部桁の高さに対して中央部桁の高さを奥行き全体にわたって２〜１５ｍｍ高くしたシート状製品用パレット。
【０００９】
（２）端部桁の高さに対して２〜１５ｍｍ高くする中央部桁の幅が１００ｍｍ以上である（１）に記載のシート状製品用パレット。
【発明の効果】
【００１０】
本発明により平判印刷用途等で使用される紙やフィルムなどのシート状製品を積み上げた状態で保管、運搬する際に好適なものであり、シート状製品にかたや皺の発生が大幅に改善された。
【発明を実施するための最良の形態】
【００１１】
以下、本発明を具体的に説明するが、本発明はこれらの実施形態に限定して解釈されるものではない。
本発明が対象するパレットの大きさとしてはＪＩＳ  Ｚ  ０６０４−１９８９の表３に記載されているような一辺が１１００ｍｍのもの（１１００×８００、１１００×９００、１１００×１１００、１１００×１３００、１１００×１４００）および一辺が１２００ｍｍのもの（１２００×８００、１２００×１０００）を挙げることができる。
【００１２】
本発明のシート状製品用パレットにおいて、上面、下面および端部桁、中央部桁の材質は、載置される製品の荷重に耐える剛性、強度を有するものであれば特に限定されず、例えば、木材、プラスチック、ガラス繊維強化プラスチックなどが挙げられる。
【００１３】
本発明のシート状製品用パレットは、中央部桁の高さが奥行きの全体にわたって端部桁の高さより２〜１５ｍｍ高い形状であることを特徴とするものである。ここでいうパレットの中央部とは、パレットの上方からの投影図が長方形の場合、長辺方向の中央付近をいい、上述の端部との高さの違いが短辺方向に維持されているものである（図１）。また、上方からの投影図が正方形の場合は、向かい合う辺のいずれか片方の辺方向の中央付近をいい、上述の端部との高さの違いが、残る辺の方向に維持されているものである（図２）。
【００１４】
パレットの中央部桁の高さが端部桁に対する高さの差異が２ｍｍ未満の場合は本発明が目的とするかたや皺の発生を抑制するという効果が不充分となる。また、中央部桁の高さが端部桁に対する高さの差異が１５ｍｍを超える場合は、製品山が中凹みの形状から場合によっては中凸の形状になるなど本発明が目的とするかたや皺の発生を抑制することに対して過剰な高低差であるだけでなく、製品が載っていないパレットだけを重ねて運搬する場合は、シーソーのように左右のがたつきが大きくなってパレットのみをハンドリングする際に問題が生じたり、さらに製品山を２段、３段と積み上げた際に、最上部の製品山が左右にぐらついたりするおそれがある。
【００１５】
端部桁に対して２〜１５ｍｍ高くなる中央部桁の幅は特に限定されないが、上面を構成する板の変形などを考慮すると１００ｍｍ以上であることが好ましい実施態様であり、さらに好ましくは１００〜４００ｍｍの範囲である。また、本発明のシート状製品用パレットは、フォークリフトなどの爪が差し込めるような隙間を造る桁と少なくとも上面を構成する板を接合、あるいは一体整形して造られており、端部桁の高さに対して、２〜１５ｍｍ高い桁を中央部に１本あるいは複数本接合することが必要である。ただし、中央部桁の配置はフォークリフトなどの爪の差し込みを邪魔しないようにすることが必要である。
【００１６】
なお、本発明のパレットの上面や下面あるいは桁の形状は特に限定されないが、紙やフィルムなどのシート状製品用としては、製品が載置される上面は、全面が一様で間に大きな穴のような欠けのないこと、あるいは、略格子状のようなものであることが好ましい。
【実施例】
【００１７】
以下、実施例により本発明のシート状製品用パレットを、図に基づいて説明する。図は、いずれも本発明のシート状製品用パレットの一例を示す斜視図であり、形状はこれらに限定されるものでない。パレットの幅、奥行きは、これによって運搬、保管される製品の大きさによって決まるもので、特に限定されず、パレットの高さは上面を構成する板の厚み（高さ）と上面の板に接合されてフォークリフトなどの爪が入る隙間を造る桁の高さ、あるいは、これに下面を構成する板の厚み（高さ）が加わって決まるもので、特に限定されない。なお、パレットの強度をより高めることや、上面と下面を同様に使用することなどを目的として下面を設けることができる。
【００１８】
本発明は、シート状製品用パレットの中央部桁の高さが端部桁の高さに対して２〜１５ｍｍ高いことを特徴とするものであるが、その形状としては、パレット全体の厚みとして、中央部が端部に対して２〜１５ｍｍ厚いことである。
【００１９】
＜実施例１＞
図３は、上面板と下面板がほぼ同一に取り付けられ、いずれの面にも製品の載置が可能なパレットである（以後、両面パレットという）。１と４は、幅１，１０１ｍｍ、奥行き２６６ｍｍ、厚み（高さ）１５ｍｍの木材板で、同様寸法の板３枚ずつで上面と下面を構成している。２は、端部桁で幅４０ｍｍ、奥行き７９８ｍｍ、高さ６５ｍｍの角材である。３は、中央部桁で幅４０ｍｍ、奥行き７９８ｍｍ、高さ７３ｍｍの角材である。これら部材で構成されたパレットの寸法は、幅１，１０１ｍｍ、奥行き７９８ｍｍ、端部高さ９５ｍｍ、中央部高さ１０３ｍｍで、中央部が端部に対して８ｍｍ高く、８ｍｍ高くなった中央部の幅は少なくとも４０ｍｍである。
【００２０】
＜実施例２＞
図４は、両面パレットで、３の中央部桁の角材の幅が１５０ｍｍであること以外は図３のパレットと同様の部材から構成されており、パレットの寸法は、幅１，１０１ｍｍ、奥行き７９８ｍｍ、端部高さ９５ｍｍ、中央部高さ１０３ｍｍで、中央部が端部に対して８ｍｍ高く、８ｍｍ高くなった中央部の幅は少なくとも１５０ｍｍである。
【００２１】
＜実施例３＞
図５は、両面パレットで、３の中央部桁が幅４０ｍｍ、奥行き７９８ｍｍ、高さ７０ｍｍの角材であり、この角材が２００ｍｍの間を空けて２本取り付けたこと以外は図３のパレットと同様の部材から構成されており、パレットの寸法は、幅１，１０１ｍｍ、奥行き７９８ｍｍ、端部高さ９５ｍｍ、中央部高さ１００ｍｍで、中央部が端部に対して５ｍｍ高く、５ｍｍ高くなった中央部の幅は少なくとも２８０ｍｍである。
【００２２】
＜実施例４＞
図６は、下面板の構成を簡略化し上面にのみ製品を載置することを想定した片面パレットで、下面の手前と奥側にのみ幅１，１０１ｍｍ、奥行き１００ｍｍ、厚み（高さ）１５ｍｍの木材板を取り付け、左右端部桁下部の下面手前板と奥側板の間に幅４０ｍｍ、奥行き５９１ｍｍ、厚み（高さ）１５ｍｍの埋め板を取り付けたこと以外は図５のパレットと同様の部材から構成されており、パレットの寸法は、幅１，１０１ｍｍ、奥行き７９８ｍｍ、端部高さ９５ｍｍ、中央部高さ１００ｍｍで、中央部が端部に対して５ｍｍ高く、５ｍｍ高くなった中央部の幅は少なくとも２８０ｍｍである。
【００２３】
＜実施例５＞
図７は、片面パレットで、下面の板をまったく使用しないこと以外は図５のパレットと同様の部材から構成されており、パレットの寸法は、幅１，１０１ｍｍ、奥行き７９８ｍｍ、端部高さ８０ｍｍ、中央部高さ８５ｍｍで、中央部が端部に対して５ｍｍ高く、５ｍｍ高くなった中央部の幅は少なくとも２８０ｍｍである。
【００２４】
＜実施例６＞
図８は、フォークリフトなどの爪が前後（図の手前と奥）だけでなく、左右からも差し込み可能としたいわゆる四方差しの片面パレットである。２は、幅と奥行き１０５ｍｍ、高さ５０ｍｍのブロック材で、左右の端部に奥行き方向に２３８ｍｍの間を空けて左右それぞれに３個ずつが、幅１０５ｍｍ、奥行き７９１ｍｍ、厚み（高さ）１５ｍｍの上下に取り付けられた桟板６を介して取り付けられている。３は、幅が３５０ｍｍ、奥行き１０５ｍｍ、高さ５３ｍｍのブロック材で、中央部に奥行き方向に２３８ｍｍの間を空けて３個が、幅１０５ｍｍ、奥行き７９１ｍｍ、厚み（高さ）１５ｍｍの上下に取り付けられた桟板７を介して取り付けられている。パレットの寸法は、幅１，１０１ｍｍ、奥行き７９８ｍｍ、端部高さ９５ｍｍ、中央部高さ９８ｍｍで、中央部が端部に対して３ｍｍ高く、３ｍｍ高くなった中央部の幅は少なくとも３５０ｍｍである。
【００２５】
＜実施例７＞
実施例１において中央部桁の高さを８０ｍｍとした以外は実施例１と同様にして本発明の両面パレットを作成した。
【００２６】
＜比較例１＞
実施例１において中央部桁と端部桁の高さを同一としたこと以外は実施例１と同様にして両面パレットを作成した。
【００２７】
＜比較例２＞
実施例２において中央部桁と端部桁の高さを同一としたこと以外は実施例２と同様にして両面パレットを作成した。
【００２８】
＜比較例３＞
実施例３において中央部桁と端部桁の高さを同一としたこと以外は実施例３と同様にして両面パレットを作成した。
【００２９】
＜比較例４＞
実施例１において中央部桁の高さを８３ｍｍとしたこと以外は実施例１と同様にして両面パレットを作成した。
【００３０】
上記各実施例、比較例にて作成したパレット上に米坪８４．９ｇ／ｍ２、寸法が幅１，０９１ｍｍ、流れ方向７８８ｍｍの光沢が非常に高いキャスト紙をキャスト面を上にして２５０枚ずつ防湿ワンプで包装したものを３０包み積み上げて１つの製品山とし、この製品山を３段重ねて夏期に１ヶ月間倉庫に保管した。１ヶ月後に中段の最上部の包みを開封して、端部の包装紙のかたの転写状況と包装紙の皺の転写状況、製品の載っていないパレットを積み重ねた際の安定性や積み上げた製品山の安定性を確認した。その結果を表１および表２に示す。
【００３１】
（総合評価）
本発明のシート状製品用パレットの性能を下記基準で評価した。
○：紙やフィルムにかたや皺が発生せず、またパレットの安定性も高く、優れたパレットである。
△：若干紙やフィルムにかたや皺が発生したり、またパレットのがたつきが発生するが、実用上問題ないレベルである。
×：紙やフィルムにかたや皺の発生が酷く、またパレットのがたつきが酷く、実用上問題となるレベルである。
【００３２】
【表１】
2010006404.tif 000003
【００３３】
【表２】
2010006404.tif 000004
【００３４】
表１（実施例）および表２（比較例）に示すように、本発明のシート状製品用パレットをキャスト紙に使用した結果、端部の包装紙キャラメル折部のかたが軽減されるとともに、包装紙の皺発生が大幅に抑制され、皺跡が大きく軽減された。
【図面の簡単な説明】
【００３５】
【図１】本発明に係るシート状製品用パレットの上方からの投影図（形状が長方形の場合）である。
【図２】本発明に係るシート状製品用パレットの上方からの投影図（形状が正方形の場合）である。
【図３】本発明に係るシート状製品用パレット（両面パレット）の斜視図である。
【図４】本発明に係るシート状製品用パレット（両面パレット）の斜視図である。
【図５】本発明に係るシート状製品用パレット（両面パレット）の斜視図である。
【図６】本発明に係るシート状製品用パレット（片面パレット）の斜視図である。
【図７】本発明に係るシート状製品用パレット（片面パレット）の斜視図である。
【図８】本発明に係るシート状製品用パレット（四方差し片面パレット）の斜視図である。
【符号の説明】
【００３６】
１・・・・上面板
２・・・・端部桁
３・・・・中央部桁
４・・・・下面板
５・・・・端部桁の埋め板
６・・・・端部桁となるブロック材を上下で連結する桟板
７・・・・中央部桁となるブロック材を上下で連結する桟板
【産業上の利用可能性】
【００３７】
本発明のシート状製品用パレットは、紙、フィルムなどのシート状製品を積み上げた状態で保管、運搬する際に好適なものであり、シート状製品にかたや皺の発生を効果的に抑制することができる優れたものであった。
【図１】
2010006404.tif 000005
【図２】
2010006404.tif 000006
【図３】
2010006404.tif 000007
【図４】
2010006404.tif 000008
【図５】
2010006404.tif 000009
【図６】
2010006404.tif 000010
【図７】
2010006404.tif 000011
【図８】
2010006404.tif 000012